(57)【要約】【課題】本発明は、電気機器とは、別体であるとみなすことができ、取り付けた電気機器において、新たな安全規格を取得する必要がなくなる電源ユニットを提供することを課題とする。【解決手段】略直方体の筐体２と、筐体２における付勢面Ａに設けられた商用電源が入力される外部コネクタ３と、付勢面Ａに設けられ、取り付け時に付勢面Ａが対向する電気機器８ａ、８ｂの本体筐体の面から遠ざかる方向に筐体２を付勢する付勢部６と、付勢面Ａと垂直な固定面Ｂに設けられ、電気機器の本体筐体に設けられた留め具１０によって係止される被係止部７とを備え、本体筐体への取り付け時には、付勢部６の付勢力による筐体２の移動によって、被係止部７が電気機器の留め具１０で係止され、本体筐体からの取り外し時には、付勢部６の付勢力に抗した筐体２の移動によって、被係止部７と電気機器の留め具１０との係止が解除される。【選択図】        図２
2009087104.tif 000002
【特許請求の範囲】
【請求項１】
電気機器の本体筐体に取り付けて使用され、交流電源である商用電源を前記電気機器で利用可能な直流電源に変換し、前記電気機器に電力を供給する電源ユニットであって、
略直方体のユニット筐体と、
該ユニット筐体における第１の面に設けられた商用電源が入力される外部コネクタと、
前記第１の面に設けられ、取り付け時に前記第１の面が対向する前記電気機器の前記本体筐体の面から遠ざかる方向に前記ユニット筐体を付勢する付勢手段と、
前記第１の面と垂直な第２の面に設けられ、前記電気機器の前記本体筐体に設けられた留め具によって係止される被係止手段とを具備し、
前記本体筐体への取り付け時には、前記付勢手段の付勢力による前記ユニット筐体の移動によって、前記被係止手段が前記電気機器の前記留め具で係止され、前記本体筐体からの取り外し時には、前記付勢手段の付勢力に抗した前記ユニット筐体の移動によって、前記被係止手段と前記電気機器の前記留め具との係止が解除されることを特徴とする電源ユニット。
【請求項２】
前記被係止手段は、前記第２の面に形成された被係止孔であり、
該被係止孔がカギ状の前記留め具によって係止されることにより、前記ユニット筐体が前記電気機器の前記本体筐体に対して前記付勢手段による付勢方向に対して直交する方向において少なくとも位置決めされることを特徴とする請求項１記載の電源ユニット。
【請求項３】
前記第２の面の内側に設けられ、前記被係止孔からの電磁波の漏出を防止するシールドカバーを具備することを特徴とする請求項２記載の電源ユニット。
【発明の詳細な説明】
【技術分野】
【０００１】
本発明は、プリンタ等の電力によって駆動される電気機器に電力を供給する電源ユニットに関し、特に電気機器の筐体内に内蔵された電源ユニットに関する。
【背景技術】
【０００２】
プリンタ等の電力によって駆動される電気機器には、交流電源である商用電源を電気機器で利用可能な直流電源に変換する電源ユニットが内蔵されている。このような電源ユニットは、電気機器毎に設計されるのが一般的であり、電源ユニットと電気機器のうち、いずれか一方が故障した場合でも、電源ユニットと電気機器とが共に廃棄されることが多く、環境保護に反する。そこで、電源ユニットと電気機器との間に互換性をもたすことで、電気機器および電源ユニットの再利用を可能とすることが提案されている（例えば、特許文献１参照）。
【０００３】
しかしながら、従来技術では、電気機器に内蔵された電源ユニットは、電気機器の筐体にネジ等で固定されているのが一般的であり、各国で定められた安全規格において、電気機器と電源ユニットとは、一体であるとみなされ、電源ユニット自体の安全規格を取得している場合でも、電源ユニットを内蔵した電気機器の安全規格の取得を改めて行う必要があり、安全規格の取得に伴うイニシャル費用が余分にかかってしまうという問題点があった。
【０００４】
【特許文献１】特開２００１−３０５７４号公報
【発明の開示】
【発明が解決しようとする課題】
【０００５】
本発明は斯かる問題点に鑑みてなされたものであり、その目的とするところは、電気機器とは、別体であるとみなすことができ、取り付けた電気機器において、新たな安全規格を取得する必要がなくなり、安全規格の取得に伴うイニシャル費用を低減させることができる電源ユニットを提供する点にある。
【課題を解決するための手段】
【０００６】
本発明は上記課題を解決すべく、以下に掲げる構成とした。
請求項１記載の発明の要旨は、電気機器の本体筐体に取り付けて使用され、交流電源である商用電源を前記電気機器で利用可能な直流電源に変換し、前記電気機器に電力を供給する電源ユニットであって、略直方体のユニット筐体と、該ユニット筐体における第１の面に設けられた商用電源が入力される外部コネクタと、前記第１の面に設けられ、取り付け時に前記第１の面が対向する前記電気機器の前記本体筐体の面から遠ざかる方向に前記ユニット筐体を付勢する付勢手段と、前記第１の面と垂直な第２の面に設けられ、前記電気機器の前記本体筐体に設けられた留め具によって係止される被係止手段とを具備し、前記本体筐体への取り付け時には、前記付勢手段の付勢力による前記ユニット筐体の移動によって、前記被係止手段が前記電気機器の前記留め具で係止され、前記本体筐体からの取り外し時には、前記付勢手段の付勢力に抗した前記ユニット筐体の移動によって、前記被係止手段と前記電気機器の前記留め具との係止が解除されることを特徴とする電源ユニットに存する。
また請求項２記載の発明の要旨は、前記被係止手段は、前記第２の面に形成された被係止孔であり、該被係止孔がカギ状の前記留め具によって係止されることにより、前記ユニット筐体が前記電気機器の前記本体筐体に対して前記付勢手段による付勢方向に対して直交する方向において少なくとも位置決めされることを特徴とする請求項１記載の電源ユニットに存する。
また請求項３記載の発明の要旨は、前記第２の面の内側に設けられ、前記被係止孔からの電磁波の漏出を防止するシールドカバーを具備することを特徴とする請求項２記載の電源ユニットに存する。
【発明の効果】
【０００７】
本発明の電源ユニットは、略直方体のユニット筐体と、ユニット筐体における第１の面に設けられた商用電源が入力される外部コネクタと、第１の面に設けられ、取り付け時に第１の面が対向する電気機器の本体筐体の面から遠ざかる方向にユニット筐体を付勢する付勢手段と、第１の面と垂直な第２の面に設けられ、電気機器の前記本体筐体に設けられた留め具によって係止される被係止手段とを備え、本体筐体への取り付け時には、付勢手段の付勢力によるユニット筐体の移動によって、被係止手段が電気機器の留め具で係止され、本体筐体からの取り外し時には、付勢手段の付勢力に抗したユニット筐体の移動によって、被係止手段と電気機器の留め具との係止が解除されるように構成することにより、電気機器への電源ユニットの取り付けおよび取り外しを容易に行うことができ、電気機器と電源ユニットとを別体であるとみなすことができるため、安全規格を取得した電源ユニットを取り付けた電気機器において、新たな安全規格を取得する必要がなくなり、安全規格の取得に伴うイニシャル費用を低減させることができるという効果を奏する。
【０００８】
さらに、本発明の電源ユニットにおいては、被係止手段として第２の面に被係止孔を形成し、被係止孔が電気機器に設けられたカギ状の留め具によって係止されることにより、ユニット筐体が電気機器の本体筐体に対して付勢手段による付勢方向に対して直交する方向において少なくとも位置決めされるように構成することにより、簡単な構成によって
ユニット筐体を電気機器の本体筐体に対して固定することができるという効果を奏する。
【０００９】
さらに、本発明の電源ユニットにおいては、被係止手段として第２の面に形成された被係止孔からの電磁波の漏出を防止するシールドカバーを第２の面の内側に設けることにより、ユニット筐体による電磁波（ＥＭＩ）シールドを確実に行うことができるという効果を奏する。
【発明を実施するための最良の形態】
【００１０】
以下、本発明の実施の形態を図面に基づいて詳細に説明する。
【００１１】
図１は、本発明に係る電源ユニットの実施の形態の構成を示す概略斜視図であり、図２は、図１に示す付勢部の構成を示す概略断面図であり、図３は、図１に示す被係止部の構成を示す概略断面図である。
【００１２】
本実施の形態の電源ユニット１は、交流電源である商用電源を電気機器で利用可能な直流電源に変換する電源装置であり、図１を参照すると、電磁波（ＥＭＩ）シールドされた略直方体の筐体２を有し、筐体２の１つの面には、商用電源が入力される外部コネクタ３が設けられていると共に、変換した直流電源を筐体２外に導出するケーブル４に接続された単一の出力用コネクタ５から、変換した直流電源が出力されるように構成されている。なお、電源ユニット１が複数の出力が可能なタイプの電源装置である場合には、ケーブル４として複数の出力がまとめられた集中ケーブルが用いられると共に、出力用コネクタ５として、複数の出力毎に接続することが可能な複合型コネクタが用いられる。
【００１３】
外部コネクタ３が設けられている面には、付勢部６が設けられている（以下、外部コネクタ３および付勢部６が設けられている面を付勢面Ａと称す）。付勢部６は、図２（ａ）を参照すると、付勢面Ａに形成された開口６１を貫通するロット６２と、付勢面Ａの内側に設けられ、付勢面Ａに形成された開口６１からの電磁波の漏出を防止するシールドカバー６３と、ロット６２とシールドカバー６３との間に介装され、ロット６２を押し出す方向に付勢するバネ６４とを備えている。
【００１４】
また、付勢面Ａと垂直な面の少なくとも１つの面には、被係止部７が設けられている（以下、被係止部７が設けられている面を固定面Ｂと称す）。被係止部７は、図３（ａ）を参照すると、後述する電子機器に立設されているカギ状の留め具１０によって係止される被係止孔７１であり、固定面Ｂの内側に設けられ、固定面Ｂに形成された被係止孔７１からの電磁波の漏出を防止するシールドカバー７２を備えている。なお、シールドカバー７２は、電子機器に立設されている留め具の被係止孔７１への進入並びに留め具による被係止孔７１の係止を妨げないように設けられている。
【００１５】
次に、本実施の形態の電源ユニット１を電気機器８ａに取り付ける動作について図４および図５を参照して詳細に説明する。
図４は、本発明に係る電源ユニットの実施の形態を取り付ける電子機器における取り付け箇所の構成を示す概略斜視図であり、図５は、本発明に係る電源ユニットの実施の形態の電気機器への取り付け方法を説明するための説明図である。
【００１６】
図４に示す電気機器８ａにおいては、電源ユニット１を本体筐体内の底面Ｄに取り付けるように構成されており、電源ユニット１を電気機器８ａに取り付けた際に、付勢面Ａと対向する面Ｃ（以下、被付勢面Ｃと称す）には、電源ユニット１の付勢面Ａに設けられた外部コネクタ３と対向する箇所に、外部コネクタ３に商用電源を入力するコードを接続するための商用電源導入口９が形成されていると共に、固定面Ｂと対向する底面Ｄには、電源ユニット１の固定面Ｂに設けられた被係止部７と対向する位置に、被付勢面Ｃの方向に先端部が向けられたカギ状の留め具１０と、被付勢面Ｃから電源ユニット１の長さよりも若干遠く離れた位置に位置決め部材１１とが筐体内に向けて立設されている。
【００１７】
電源ユニット１の取り付けは、まず、図５（ａ）に示すように、付勢面Ａを電気機器８ａの被付勢面Ｃに向けると共に、固定面Ｂを下にして電源ユニット１を把持した後、図５（ｂ）に示すように、付勢部６のロット６２を被付勢面Ｃに押し付けて、図２（ｂ）に示すように、被付勢面Ｃによって付勢部６のロット６２を押し込みながら、固定面Ｂを電気機器８ａの底面Ｄに近づけていき、図３（ｂ）に示すように、固定面Ｂに設けられた被係止部７、すなわち被係止孔７１に電気機器８ａの底面Ｄに立設された留め具１０を進入させる。
【００１８】
固定面Ｂを電気機器８ａの底面Ｄに載置した状態で手を離すと、付勢部６、すなわち電気機器８ａの被付勢面Ｃに先端が当接したロット６２をバネ６４が押し戻す付勢力によって、図５（ｃ）に矢印で示す方向、すなわち被付勢面Ｃから遠ざかる方向に電源ユニット１が移動され、底面Ｄに立設された位置決め部材１１によって電源ユニット１が付勢方向において位置決めされると共に、図３（ｃ）に示すように、固定面Ｂに設けられた被係止部７、すなわち被係止孔７１が電気機器８ａの底面Ｄに立設された留め具１０によって係止され、電源ユニット１が付勢方向に対して直交する方向（底面Ｄに垂直な方向および底面Ｄに平行な方向）において位置決めされる。これにより、電源ユニット１は、電気機器８ａの底面Ｄに立設された留め具１０および位置決め部材１１によって、固定されることになる。なお、本実施の形態では、位置決め部材１１によって、電源ユニット１が付勢方向において位置決めするように構成したが、固定面Ｂに設けられた被係止部７と電気機器８ａの底面Ｄに立設された留め具１０との係止によって、電源ユニット１の付勢方向における位置決めも行うようにしても良い。
【００１９】
電源ユニット１を取り外す場合には、上述の取り付け方法と逆の手順で簡単に取り外すことができる。すなわち図５（ｃ）に示す状態から付勢部６による付勢力に抗して電源ユニット１を電気機器８ａの被付勢面Ｃ側に移動させて、固定面Ｂに設けられた被係止部７と電気機器８ａの底面Ｄに立設された留め具１０との係止を解除させ、電源ユニット１を上方に引き上げるだけで簡単に取り外すことができる。
【００２０】
次に、本実施の形態の電源ユニット１を電気機器８ｂに取り付ける他の動作について図６および図７を参照して詳細に説明する。
図６は、本発明に係る電源ユニットの実施の形態を取り付ける他の電子機器における取り付け箇所の構成を示す概略斜視図であり、図７は、本発明に係る電源ユニットの実施の形態の電気機器への他の取り付け方法を説明するための説明図である。
【００２１】
図６に示す電気機器８ｂにおいては、電源ユニット１を本体筐体の底面Ｄに形成された凹部１２に嵌め込むように構成されており、電源ユニット１を電気機器８ｂの凹部１２に取り付けた際に、付勢面Ａと対向する凹部１２内の被付勢面Ｃには、電源ユニット１の付勢面Ａに設けられた外部コネクタ３と対向する箇所に、外部コネクタ３に商用電源を入力するコードを接続するための商用電源導入口９が形成されていると共に、電源ユニット１を電気機器８ｂの凹部１２に取り付けた際に、固定面Ｂと対向する凹部１２内の底面Ｄには、電源ユニット１の固定面Ｂに設けられた被係止部７と対向する位置に、被付勢面Ｃの方向に先端部が向けられたカギ状の留め具１０と、被付勢面Ｃから電源ユニット１の長さよりも若干遠く離れた位置に位置決め部材１１とが筐体外に向けて設けられている。また、電源ユニット１を電気機器８ｂの凹部１２に取り付けた際に、電源ユニット１においてケーブル４が接続された面に対向する凹部１２内の面には、ケーブル４および出力用コネクタ５を筐体内に導入する直流電源導入口１３が形成されている。
【００２２】
電源ユニット１の取り付けは、まず、図７（ａ）に示すように、付勢面Ａを電気機器８ｂの凹部１２内の被付勢面Ｃに向けると共に、固定面Ｂを上にして電源ユニット１を把持した後、図７（ｂ）に示すように、付勢部６のロット６２を凹部１２内の被付勢面Ｃに押し付けて、図２（ｂ）に示すように、被付勢面Ｃによって付勢部６のロット６２を押し込みながら、固定面Ｂを電気機器８ｂの凹部１２内の底面Ｄに近づけていき、図３（ｂ）に示すように、固定面Ｂに設けられた被係止部７、すなわち被係止孔７１に電気機器８ｂの底面Ｄに下向きに設けられた留め具１０を進入させる。
【００２３】
固定面Ｂを電気機器８ｂの凹部１２内の底面Ｄに当接させた状態で手を離すと、付勢部６、すなわち電気機器８ｂの凹部１２内の被付勢面Ｃに先端が当接したロット６２をバネ６４が押し戻す付勢力によって、図７（ｃ）に矢印で示す方向、すなわち被付勢面Ｃから遠ざかる方向に電源ユニット１が移動され、凹部１２内の底面Ｄに設けられた位置決め部材１１によって電源ユニット１が付勢方向において位置決めされると共に、図３（ｃ）に示すように、固定面Ｂに設けられた被係止部７、すなわち被係止孔７１が電気機器８ｂの底面Ｄに下向きに設けられた留め具１０によって係止され、電源ユニット１が付勢方向に対して直交する方向（底面Ｄに垂直な方向および底面Ｄに平行な方向）において位置決めされる。これにより、電源ユニット１は、電気機器８ｂの底面Ｄに下向きに設けられた留め具１０および位置決め部材１１によって、固定されることになる。なお、本実施の形態では、位置決め部材１１によって、電源ユニット１が付勢方向において位置決めするように構成したが、固定面Ｂに設けられた被係止部７と電気機器８ｂの底面Ｄに下向きに設けられた留め具１０との係止によって、電源ユニット１の付勢方向における位置決めも行うようにしても良い。
【００２４】
電源ユニット１を取り外す場合には、上述の取り付け方法と逆の手順で簡単に取り外すことができる。すなわち図７（ｃ）に示す状態から付勢部６による付勢力に抗して電源ユニット１を電気機器８ｂの被付勢面Ｃ側に移動させて、固定面Ｂに設けられた被係止部７と電気機器８ｂの底面Ｄに下向きに設けられた留め具１０との係止を解除させ、電源ユニット１を下方に引き下げるだけで簡単に取り外すことができる。
【００２５】
なお、本実施の形態では、本体筐体の底面Ｄに形成された凹部１２に電源ユニット１を嵌め込んで取り付けるように構成したが、凹部１２を本体筐体の側面に形成し、本体筐体の側面に凹部１２に電源ユニット１を嵌め込んで取り付けるようにしても良い。この場合には、凹部１２内の側面に留め具１０と位置決め部材１１とが筐体外に向けて設けられることになる。
【００２６】
また、本実施の形態では、付勢部６として、バネ６４によってロット６２を押し出す方向に付勢する構成を採用したが、付勢面Ａの外側に板バネやコイルバネ等の付勢手段をそのまま取り付け、板バネやコイルバネ等の付勢手段による付勢力によって、取り付け時に被付勢面Ｃから遠ざかる方向に電源ユニット１を移動させるように構成しても良い。
【００２７】
以上説明したように、本実施の形態によれば、略直方体の筐体２と、筐体２における付勢面Ａに設けられた商用電源が入力される外部コネクタ３と、付勢面Ａに設けられ、取り付け時に付勢面Ａが対向する電気機器８ａ、８ｂの本体筐体の面から遠ざかる方向に筐体２を付勢する付勢部６と、付勢面Ａと垂直な固定面Ｂに設けられ、電気機器８ａ、８ｂの本体筐体に設けられた留め具１０によって係止される被係止部７とを備え、電気機器８ａ、８ｂの本体筐体への取り付け時には、付勢部６の付勢力による筐体２の移動によって、被係止部７が電気機器８ａ、８ｂの留め具１０で係止され、電気機器８ａ、８ｂの本体筐体からの取り外し時には、付勢部６の付勢力に抗した筐体２の移動によって、被係止部７と電気機器８ａ、８ｂの留め具１０との係止が解除されるように構成することにより、電気機器８ａ、８ｂへの電源ユニット１の取り付けおよび取り外しを容易に行うことができ、電気機器８ａ、８ｂと電源ユニット１とを別体であるとみなすことができるため、安全規格を取得した電源ユニット１を取り付けた電気機器８ａ、８ｂにおいて、新たな安全規格を取得する必要がなくなり、安全規格の取得に伴うイニシャル費用を低減させることができるという効果を奏する。
【００２８】
さらに、本実施の形態によれば、被係止部７として固定面Ｂに被係止孔７１を形成し、被係止孔７１が電気機器８ａ、８ｂに設けられたカギ状の留め具１０によって係止されることにより、筐体２が電気機器８ａ、８ｂの本体筐体に対して付勢部６による付勢方向に対して直交する方向において少なくとも位置決めされるように構成することにより、簡単な構成によって、筐体２を電気機器８ａ、８ｂの本体筐体に対して固定することができるという効果を奏する。
【００２９】
さらに、本実施の形態によれば、被係止部７として固定面Ｂに形成された被係止孔７１からの電磁波の漏出を防止するシールドカバー７２を固定面Ｂの内側に設けることにより、筐体２による電磁波（ＥＭＩ）シールドを確実に行うことができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係る電源ユニットの実施の形態の構成を示す概略斜視図である。
【図２】図１に示す付勢部の構成を示す概略断面図である。
【図３】図１に示す被係止部の構成を示す概略断面図である。
【図４】本発明に係る電源ユニットの実施の形態を取り付ける電子機器における取り付け箇所の構成を示す概略斜視図である。
【図５】本発明に係る電源ユニットの実施の形態の電気機器への取り付け方法を説明するための説明図である。
【図６】本発明に係る電源ユニットの実施の形態を取り付ける他の電子機器における取り付け箇所の構成を示す概略斜視図である。
【図７】本発明に係る電源ユニットの実施の形態の電気機器への他の取り付け方法を説明するための説明図である。
【符号の説明】
【００３２】
１  電源ユニット
２  筐体
３  外部コネクタ
４  ケーブル
５  出力用コネクタ
６  付勢部
７  被係止部
８ａ、８ｂ  電気機器
９  商用電源導入口
１０  留め具
１１  位置決め部材
１２  凹部
１３  直流電源導入口
６１  開口
６２  ロット
６３  シールドカバー
６４  バネ
７１  被係止孔
７２  シールドカバー
【図１】
2009087104.tif 000003
【図２】
2009087104.tif 000004
【図３】
2009087104.tif 000005
【図４】
2009087104.tif 000006
【図５】
2009087104.tif 000007
【図６】
2009087104.tif 000008
【図７】
2009087104.tif 000009